(57)【要約】【課題】  薬剤等を使用せずに、魚類の生理活性を高めることで、病気に強く、健康で丈夫な魚を育成することができる養魚用飼料及び魚類の飼育方法を提供する。【解決手段】  コンブ類、あるいは、コンブ類の抽出物を含有することを特徴とする養魚用飼料。コンブ類、あるいは、コンブ類の抽出物を含有する飼料を給与することを特徴とする魚類の飼育方法。【選択図】    図１
2005124564.tif 000002
【特許請求の範囲】
【請求項１】
コンブ類を含有することを特徴とする養魚用飼料。
【請求項２】
コンブ類の抽出物を含有することを特徴とする養魚用飼料。
【請求項３】
コンブ類を含有する飼料を給与することを特徴とする魚類の飼育方法。
【請求項４】
コンブ類の抽出物を含有する飼料を給与することを特徴とする魚類の飼育方法。
【発明の詳細な説明】
【技術分野】
【０００１】
この発明は、例えば養殖等に使用する養魚用飼料及び魚類の飼育方法に関する。更に詳しくは、魚類の生理活性を高めることでより品質の高い魚類を養殖することのできる養魚用飼料及び魚類の飼育方法に関する。
【背景技術】
【０００２】
従来、魚類養殖においては、ウイルス、細菌、真菌、原虫、寄生虫などを原因とする各種疾病を防止するために、抗生物質、サルファ剤などの薬剤が投与されている。また、これらの薬剤を含有する養魚用飼料が給与されている（特許文献１参照）。
【０００３】
【特許文献１】特開平７−０４８２７４号公報
【発明の開示】
【発明が解決しようとする課題】
【０００４】
しかしながら、従来の薬剤を用いた疾病の治療および予防は、高価な薬剤の使用により、生産単価の上昇を招き、魚類養殖業にとって経営上の大きな問題となっている。また、薬剤を多用することにより、耐性菌の発生を促がし、既存の対処法では治療できないケースも増加してきている。加えて、食の安全に対する消費者の関心が高まる中、薬剤等を含有しない養魚用飼料が強く望まれている。
【０００５】
本願発明はこのような問題に鑑みて創案されたものであり、その目的とするところは、薬剤等を使用せずに、魚類の生理活性を高めることで、病気に強く、健康で丈夫な魚を育成することができる養魚用飼料及び魚類の飼育方法を提供することである。
【課題を解決するための手段】
【０００６】
本願の発明者らは、養魚用飼料について種々の研究を重ねた結果、飼料中にコンブ類を添加することにより、病気に強く、見た目にも健康的で品質の高い魚類を養殖できることを見出し、以下の（１）〜（４）の発明を完成するに至った。
【０００７】
（１）コンブ類を含有することを特徴とする養魚用飼料。
（２）コンブ類の抽出物を含有することを特徴とする養魚用飼料。
（３）コンブ類を含有する飼料を給与することを特徴とする魚類の飼育方法。
（４）コンブ類の抽出物を含有する飼料を給与することを特徴とする魚類の飼育方法。
【０００８】
本発明にいう「魚類」とは、ブリ、マダイ、カンパチ、フグ、シマアジ、スズキ、ヒラメ、アジなどの海産養殖魚類、また、ニジマス、コイ、ウナギ、アユ、アマゴ、イワナなどの淡水養殖魚類のことを指している。勿論、これに限らず、飼料を給与することで養殖が可能な魚類であれば、本願発明にいう「魚類」に含まれる。
【０００９】
本発明にいう「コンブ類」とは、コンブ目植物（Laminariales）に属するものであり、例を挙げると、大西洋北西部、大西洋北東部、大西洋南東部、太平洋北西部、太平洋北東部などに生息しているコンブ類である。コンブ類は、マコンブ、ホソメコンブ、リシリコンブ、オコンブ、エナガコンブ、ミツイシコンブ、ナガコンブ、ガッカラコンブ、チヂミコンブ、カラフトコンブ、カラフトトロロコンブ、エンドウコンブ、ゴヘイコンブなどのいずれを使用しても良く、また、単独、あるいは混合して用いても良い。
【００１０】
コンブ類は、養殖物、天然物のいずれを使用しても良く、単独あるいは、混合して用いても良い。コンブ類であるならば、根、茎、葉などのいずれの部位を用いても良い。また、利用部位は、単独あるいは、複数部位が混合しても良い。
【００１１】
コンブ類は、未加工のものを用いても良いし、加工されたものを用いても良い。加工後の残滓を用いても良い。また、湿潤した状態のものを用いても、乾燥した状態のものを用いても良い。コンブ類の形態に関しては、コンブ類の成分が飼料中に溶出（抽出）し易く、生理活性効果の向上が期待できるように、適当に裁断あるいは粉砕加工されたものを用いるのが好ましい。
【００１２】
本発明にいう「コンブ類の抽出物」とは、コンブ類（未加工あるいは加工されたもの、加工残滓のいずれでもよい）からコンブ類成分を抽出した抽出物あるいは抽出精製物のことを指している。抽出物としては、たとえば水、温水、熱水あるいは有機溶剤にて未処理のコンブ類あるいは加工処理したコンブ類から抽出したもの、あるいはこれに濃縮、希釈、溶剤除去、乾燥等の適当な処理を施したものを用いることができる。抽出用の有機溶剤としては、エタノール、メタノール、プロパノール、ブタノール、アセトン、クロロホルム、エーテル、酢酸エチル、塩化メチレン、ベンゼン、四塩化炭素、石油エーテルなどを使用することができる。コンブ類の抽出物は、熱水あるいはエタノールによる抽出物を用いるのが特に好ましい。
【００１３】
コンブ類の抽出物に含有され得る成分としては、例えば、タンパク質のレクチンおよび芳香族アミノ酸、脂質の脂肪酸およびその誘導体、多糖類の酸性多糖類およびフコイダン、アルギン酸、その他、核酸、ポルフィオシン、タンニン、テルペノイド、ハロゲン、クロロフィル類、食物繊維などが挙げられる。これらの成分のうち、一部の成分を取り除いた抽出物を用いることもできる。コンブ類の抽出物は、飼料に直接添加して給与できるばかりでなく、精製物、溶液、半固形、固形、流体、粉体などの形態で使用することができる。
【００１４】
養殖魚類に対するコンブ類の投与量は、特には限定されないが、飼料中に０．１重量％から１０重量％の範囲で配合することが好ましい。コンブ類の抽出物に関しては、抽出物粉末換算にして、０．１重量％から１００重量％の範囲で含有することが好ましい。これらの配合量は、魚類の種類、成長段階、年齢、体重、環境条件、体調、飼料の原材料の種類、投与する時期、季節などの諸条件に応じて適宜調整することができる。
【００１５】
コンブ類の投与期間は特に限定されるものではないが、好ましくは、成長期を通して魚類の飼料に添加して投与する恒常的な連続投与がよい。これにより、成長期全体を通して魚類の病気が防止されるとともに、魚類の成長をより促すことができる。
【００１６】
養魚用飼料の原材料としては、例えば、魚粉、カゼイン、イカミール、オキアミミールなどの動物質原料、大豆粕、コーングルテンミール、小麦粉、脱脂糠、澱粉などの植物質原料、タラ肝油、イカ肝油などの動物性油脂、大豆油、菜種油、コーン油などの植物油、アルファ化澱粉、ＣＭＣ（カルボキシメチルセルロース）、アルギン酸ナトリウム、グァガムなどの粘結剤、ビタミン、ミネラル類、アミン酸、抗酸化剤などを挙げることができる。また、モイストペレットなどの生餌の原料としては、例えば、マイワシ、カタクチイワシ、サバ、サンマ、ニシン、ホッケ、タラ、イカナゴ、オキアミ、イサザアミなどを挙げることができる。養魚用飼料の原材料としては、これらの全部もしくは一部を用いてもよいし、これら以外の原材料を用いることもできる。
【００１７】
本願の発明は、上記に説明した養魚用飼料を給与することを特徴とする魚類の飼育方法（養殖方法）として構成することができる。この方法によれば、魚類の生理活性が高められることによって、病気に強く、健康で丈夫な魚を育成することができる。しかも、魚類の体内中にダイオキシン類等の有害物質が蓄積されている場合に、これらの有害物質を体外に排出できるという意外な効果がある（この効果については、下記の実施例で詳細に説明する）。
【発明の効果】
【００１８】
本発明によれば、薬剤等を使用せずに、魚類の生理活性を高めることで、病気に強く、健康で丈夫な魚を育成することができる養魚用飼料及び魚類の飼育方法を提供することができる。
【発明を実施するための最良の形態】
【００１９】
本発明の実施例について説明する。
〔実施例１〕マダイによる飼育試験
（試験飼料および設定条件）
魚粉、魚油、澱粉、小麦粉、ビタミンミックス、ミネラルミックスおよびコンブ粉末からなる原料を表１に示す割合にて配合し、ペレットマシンにて成形することにより、本実施例（マダイによる飼育試験）の試験飼料とした。コンブ粉末の配合割合を０％（対照区）、１．０％、２．５％、５．０％、１０．０％とし（すべて重量％）、計５区を設定した。各試験飼料は、澱粉、小麦粉の量を変化させて一般分析値がほぼ同等となるように調節した。
【００２０】
【表１】
2005124564.tif 000003
【００２１】
（試験方法）
５００Ｌ円形水槽５面に平均魚体重１２５ｇのマダイ当歳魚をそれぞれ３０尾ずつ収容し、試験飼料を用いて水温２４℃で２ヶ月間の飼育を行った。
【００２２】
（試験結果および考察）
飼育結果を表２に示す。本発明のコンブ粉末を配合した試験飼料を給餌したマダイは、各試験区において、飼料効率、増重率、日間給餌率で対照区に比べて同等もしくはそれ以上の良好な結果が得られた。この結果より、コンブ粉末を添加した飼料を給与することによって、マダイの成長が効率的に促進されることが判明した。
また、飼育試験後、各試験区の魚の体色、ツヤを官能検査にて評価した。評価した結果を表３に示す。対照区の評価は普通であったが、コンブ添加区においては、各区ともに良好という評価が得られた。この結果より、コンブ粉末を添加した飼料を給与することによって、見た目にも健康的で品質の高いマダイを養殖できることが判明した。
【００２３】
【表２】
2005124564.tif 000004
【００２４】
【表３】
2005124564.tif 000005
【００２５】
〔実施例２〕マダイによる免疫評価試験
（試験飼料および設定条件）
魚粉、魚油、澱粉、小麦粉、ビタミンミックス、ミネラルミックスおよびコンブ粉末からなる原料を表４に示す割合にて配合し、ペレットマシンにて成形することにより、本実施の（マダイによる免疫評価試験）の試験飼料とした。コンブ粉末の配合割合を０％（対照区）、１．０％、２．５％とし、計３区を設定した。各試験飼料は、澱粉、小麦粉の量を変化させてほぼ同等な一般分析値となるように調節した。
【００２６】
【表４】
2005124564.tif 000006
【００２７】
（試験方法）
５００Ｌ円形水槽３面に平均魚体重１２５ｇのマダイ当歳魚をそれぞれ２０尾ずつ収容し、試験飼料を用いて水温２４℃で２ヶ月間の飼育を行った。２ヶ月間の飼育の後、免疫評価試験として、魚類免疫機構の補体系の補体第二経路活性(ACH50値)の測定を行った。
【００２８】
（試験結果および考察）
補体第二経路活性値の測定結果を図１に示す。図１に示すように、コンブ粉末添加区における活性値は、対照区の活性値を１００として比較した場合に、各区ともに対照区より高い値を示した。これにより、コンブ粉末を含有する飼料を給与することによって、魚類免疫機構の１つである補体系が活性され、マダイの免疫機能が向上することが判明した。
【００２９】
〔実施例３〕マダイによるエト゛ワシ゛ュラ・タルタ゛（Edwardsiella tarda）菌攻撃試験
（試験飼料および設定条件）
魚粉、魚油、澱粉、小麦粉、ビタミンミックス、ミネラルミックスおよびコンブ粉末からなる原料を表５の割合にて配合し、ペレットマシンにて成形することにより、本実施例（マダイによるエト゛ワシ゛ュラ・タルタ゛菌（Edwardsiella tarda）攻撃試験）の試験飼料とした。コンブ粉末の配合割合を０％（対照区）、１．０％、２．５％、５．０％とし、計４区を設定した。各試験飼料は、澱粉、小麦粉の量を変化させてほぼ同等な一般分析値となるように調節した。
【００３０】
【表５】
2005124564.tif 000007
【００３１】
（試験方法）
５００Ｌ円形水槽４面に平均魚体重８０ｇのマダイ当歳魚をそれぞれ１５尾ずつ収容し、試験飼料を用いて水温２４℃で１ヶ月間の飼育を行った。１ヶ月の飼育の後、エト゛ワシ゛ュラ・タルタ゛菌（Edwardsiella tarda）（3.5×10−７  CFU/尾）を腹腔内注射により注入し、その後の生残率を調査した。
【００３２】
（試験結果および考察）
エト゛ワシ゛ュラ・タルタ゛菌を注入した日を０日目とした場合におけるマダイの生存率の変化を図２に示す。対照区のコンブ粉末無添加区においては、７日目から死亡が確認され、２０日目の生残率は８０％であった。一方、コンブ粉末添加区は、攻撃試験開始２０日後においても、各添加区ともに、１尾の死亡も無く１００％の生存率であり、抗病性が向上していることが判明した。また、対照区における魚の死亡原因は、病理解剖所見及び細菌検査によりエト゛ワシ゛ュラ・タルタ゛菌の感染によるものあることが確認された。コンブ添加区については、エト゛ワシ゛ュラ・タルタ゛菌による病状は全く認められなかった。
【００３３】
〔実施例４〕ハマチによる飼育試験
（試験飼料および設定条件）
魚粉、魚油、澱粉、小麦粉、ビタミンミックス、ミネラルミックスおよびコンブ粉末からなる原料を表６の割合にて配合し、ペレットマシンにて成形することにより、本実施例（ハマチによる飼育試験）の試験飼料とした。コンブ粉末の配合割合を０％、２．５％とし、それぞれ対照区、試験区の２区を設定した。各試験飼料は、澱粉、小麦粉の量を変化させて同等な一般分析値となるように調節した。
【００３４】
【表６】
2005124564.tif 000008
【００３５】
（試験方法）
１ｔ円形水槽２面に平均魚体重３７０ｇのハマチ当歳魚をそれぞれ９尾ずつ収容し、試験飼料を用いて水温２４℃で３ヶ月間の飼育を行った。
【００３６】
（試験結果および考察）
ハマチの成長に関する試験結果を表７に示す。表７に示すように、飼料中にコンブ粉末を配合した試験区においては、対照区と比較すると、飼料効率、増重率、日間給餌率において同等もしくはそれ以上の良好な結果となった。
また、健全で丈夫な魚類の指標として、ハマチの体色、ぬめりを調査した。体色については、体表面の背部、側線部において黄色味を色彩色差計にて測定した。測定結果を表８に示す。数値は、色彩色差計のｂ値（黄色味）を使用し、対照区の平均値を１００とした指数である（数値が大きいほど黄色味が強い）。表８に示すように、飼料中にコンブ粉末を添加した試験区においては、背部、側線部ともに対照区よりも高い値を示した。官能検査においても、試験区では、明瞭な着色効果が確認できた。
【００３７】
【表７】
2005124564.tif 000009
【００３８】
【表８】
2005124564.tif 000010
【００３９】
体表のぬめりは、官能検査により不良、やや不良、良好、極めて良好の４段階で評価を行った。評価は、試験期間中１ヶ月ごとに、計３回行った。ぬめりの評価結果を表９に示す。表９の下部には、官能検査の評価基準を示している。表９に示すように、対照区における体表のぬめりが不良〜やや不良の範囲であったのに対して、本発明のコンブ粉末を配合した試験区では、良好〜極めて良好の評価結果となった。
【００４０】
【表９】
2005124564.tif 000011
【００４１】
〔実施例５〕カンパチによる飼育試験
（試験飼料および設定条件）
魚粉、魚油、澱粉、小麦粉、ビタミンミックス、ミネラルミックスおよびコンブ粉末からなる原料を表１０の割合にて配合し、ペレットマシンにて成形することにより、本実施例（カンパチによる飼育試験）の試験飼料とした。コンブ粉末の配合割合を０％、２．０％とし、それぞれ対照区、試験区の２区を設定した。各試験飼料は、澱粉、小麦粉の量を変化させて一般分析値がほぼ同等となるように調節した。
【００４２】
【表１０】
2005124564.tif 000012
【００４３】
（試験方法）
２ｔFPR水槽２面に平均魚体重４３７ｇのカンパチ当歳魚を各１０尾ずつ収容し、試験飼料を用いて水温２４℃で２ヶ月間の飼育を行った。
【００４４】
（試験結果および考察）
カンパチの成長に関する試験結果を表１１に示す。表１１に示すように、飼料中にコンブ粉末を混合した試験区のカンパチは、対照区と比較すると、飼料効率、増重率、日間給餌率において同等もしくはそれ以上の結果となった。
健全で丈夫な魚類の指標として、ぬめり、体色、寄生虫について調査を行った。体表のぬめりは、官能検査により不良、やや不良、良好、極めて良好の４段階で評価を行った。評価は、試験期間中１ヶ月ごとに、計２回行った。（評価基準については、前述のハマチ同様である）。ぬめりの評価結果を表１２に示す。対照区が、不良〜やや不良の結果であったのに対して、飼料中にコンブ粉末を配合した試験区では、良好〜極めて良好の結果が得られた。
【００４５】
【表１１】
2005124564.tif 000013
【００４６】
【表１２】
2005124564.tif 000014
【００４７】
寄生虫については、カンパチの体表に寄生したネオベネデニアおよびベネデニア、通称ハダムシの数を計数した。試験中１ヶ月ごとに淡水浴を５分間実施し、死亡して白色化したハダムシを回収し、その数を計数して得られた数値を各区の寄生虫数とした。結果を表１３に示す。表１３中の数値は、対照区の寄生虫数を１００とした指数である。表１３に示すように、試験区では対照区に比べて２〜３割程度の寄生虫数の減少がみられた。
【００４８】
【表１３】
2005124564.tif 000015
【００４９】
〔実施例６〕ハマチによる飼育試験（２）
（試験飼料および設定条件）
魚粉、魚油、澱粉、小麦粉、ビタミンミックス、ミネラルミックスおよびコンブ粉末からなる原料を表１４の割合にて配合し、ペレットマシンにて成形することにより、本実施例（ハマチによる飼育試験（２））の試験飼料とした。コンブ粉末の配合割合を０％、２．５％、１０．０％とし、それぞれ対照区、２．５％区、１０．０％区の３区を設定した。各試験飼料は、澱粉、小麦粉の量を変化させてほぼ同等な一般分析値となるように調節した。
【００５０】
【表１４】
2005124564.tif 000016
【００５１】
（試験方法）
試験に使用したハマチは、試験開始時までは市販されている同一種類の配合飼料にて飼育を行った。その後、１ｔ円形水槽３面に平均魚体重３７０ｇのハマチ当歳魚をそれぞれ９尾ずつ収容し、試験飼料を用いて水温２４℃で３ヶ月間の飼育を行った。試験飼料については、一般的な市販飼料に使用されている原料により製造を行い、さらに各区の試験飼料は、同じロットの原料により製造した。また、コンブ粉末、澱粉、小麦粉以外の原料については、表１４からわかるように同じ割合で配合している。コンブ粉末、澱粉、小麦粉は植物性原料であるため、ダイオキシン類含量のごく微量な原料であり、試験飼料中のダイオキシン類含量の大半は、動物性原料由来である。これらのことから、各区の試験飼料中のダイオキシン類含量は、同等と考えられ、ハマチの体内に蓄積するダイオキシン類の量は、試験飼料の給餌量、飼育海水等に依存するものと考えられる。給餌については、１日１回飽食給餌を行った。飼育方法については、一般的な市販飼料に使用されている原料により製造された試験飼料を使用し、その他給餌方法等についても一般的な飼育を行い、特に特殊な方法は、いっさい用いていない。
【００５２】
（試験結果および考察）
試験期間中の各区の総給餌量を図３に示す。数値は、対照区を１００とした指数により比較した。図３からわかるように、試験期間中、各区への給餌量は、対照区と比べてほぼ同量もしくはそれ以上であるため、コンブ粉末を配合した２．５％区、１０％区のハマチが摂取したダイオキシン類量はほぼ同量もしくはそれ以上である。つまり、魚体（可食部）中のダイオキシン類濃度に有意な差がある場合、各区のダイオキシン類摂取量は同等であるので、ダイオキシン類が魚体から排泄されたことを意味する。
【００５３】
飼育終了時（飼育期間３ヶ月）に、各区の全ハマチから可食部のみを採取し、各区ごとにホモゲナイズし、ダイオキシン類含量を測定した。ダイオキシン類含量の測定は、高分解能ガスクロマトグラフ・質量分析計により行った。ここでいうダイオキシン類とは、ポリクロロジベンゾパラジオキシン（PCDD）、ポリクロロジベンゾフラン（PCDF）、コプラナーPCB（Co-PCB）の３つを指す。また、ダイオキシン類には、多種の異性体が存在し、一つ一つ毒性も異なるため、ダイオキシン類含量は、一般的に使用される毒性等価量によって表した。ダイオキシン類含量の測定結果を図３に示す。図３に示すように、飼料中にコンブ粉末を配合した試験区においては、対照区と比較すると、ハマチ可食部中のダイオキシン類含量が少ない結果となった。またコンブ粉末の配合割合が高いほど、可食部中のダイオキシン含量はより少なくなる傾向がみられた。以上のことより、コンブ類を配合した飼料を給餌することによって、魚体中からダイオキシン類を排出させることができることが判明した。また、コンブ類の配合率が高いほど、ダイオキシン類の排出効果がより高まることが判明した。
【００５４】
なお、上述した実施例１〜実施例６では、養魚用飼料中にコンブ粉末を配合する例について説明したが、コンブ類の形態は粉末に限るものではなく、未加工あるいは裁断したものなど、各種形態のコンブ類を用いることができる。また、コンブ類そのものではなく、コンブ類の抽出物を配合することもできる。抽出物を配合した場合であっても、コンブ類に含まれる生理活性成分が作用するので、上述した実施例と同様の効果を得ることができる。
【図面の簡単な説明】
【００５５】
【図１】補体第二経路活性値の測定値のグラフである。
【図２】マダイの生残率を示すグラフである。
【図３】試験期間中の各区の総給餌量及びダイオキシン類含量を示すグラフである。
【図１】
2005124564.tif 000017
【図２】
2005124564.tif 000018
【図３】
2005124564.tif 000019